Podtech/llm-jp-corpus-v4-ja_patent huggingface dataset:
【手続補正書】
【提出日】平成16年10月13日(2004.10.13)
【手続補正１】
【補正対象書類名】明細書
【補正対象項目名】特許請求の範囲
【補正方法】変更
【補正の内容】
【特許請求の範囲】
【請求項１】
被検体に静磁場を与える静磁場発生手段と、傾斜磁場を与える傾斜磁場発生手段と、前記被検体に電磁波を照射する高周波磁場パルス照射手段と、前記被検体から発生する磁気共鳴信号を受信する受信手段と、前記傾斜磁場発生手段と前記高周波磁場パルス照射手段と前記受信手段とを制御して撮像シーケンスを実行するシーケンサと、前記磁気共鳴信号に基づいて画像を再構成する信号処理手段と、前記画像を表示する表示手段とを備え、計測時に位相エンコードを変化させ、読み出し傾斜磁場パルスを正負反転して計測する磁気共鳴撮像装置において、
前記シーケンサは第１及び第２の撮像シーケンスを有し、
前記第１の撮像シーケンスは、第１の読み出し傾斜磁場パルスを正負反転させ、
前記第２の撮像シーケンスは、前記第１の読み出し傾斜磁場パルスの極性を反転させた第２の読み出し傾斜磁場パルスを形成させ、
前記第１の撮像シーケンス及び第２の撮像シーケンスは、前記第１の読み出し傾斜磁場パルス及び前記第２の読み出し傾斜磁場パルスの正負反転に合わせて位相エンコードパルスを離散的に印加して前記位相エンコードを変化させ、かつ、同一位相エンコード量における前記第１の読み出し傾斜磁場パルスと前記第２の読み出し傾斜磁場パルスの極性を互いに逆にし、
前記信号処理手段は、第１の撮像シーケンスにより得られる第１の計測データと、前記第２の撮像シーケンスにより得られる第２の計測データとを加算して画像再構成することを特徴とする磁気共鳴撮像装置。
【請求項２】
前記信号処理手段は、読み出し方向フーリエ変換した前記第１の計測データおよび前記第２の計測データを加算することを特徴とする請求項１に記載の磁気共鳴撮像装置。
【請求項３】
前記信号処理手段は、前記第１の計測データおよび前記第２の計測データを位相エンコード方向フーリエ変換して加算することを特徴とする請求項１に記載の磁気共鳴撮像装置。
【請求項４】
前記信号処理手段は、前記第１の計測データおよび前記第２の計測データの位相補正をすることを特徴とする請求項１に記載の磁気共鳴撮像装置。
【請求項５】
前記第１の撮像シーケンスと前記第２の撮像シーケンスは交互に繰り返して実行され、
前記信号処理手段は連続的に画像再構成することを特徴とする請求項１に記載の磁気共鳴撮像装置。
【請求項６】
前記第１の計測データおよび前記第２の計測データは、前記計測データのエコー番号と、前記撮像シーケンスの繰り返し番号と、読み出し方向の位置情報とを含み、前記エコー番号と、前記繰り返し番号と、前記位置情報に基づいて加算されることを特徴とする請求項１に記載の磁気共鳴撮像装置。
【手続補正２】
【補正対象書類名】明細書
【補正対象項目名】０００８
【補正方法】変更
【補正の内容】
【０００８】
【課題を解決するための手段】
上記課題を解決するために、本発明の磁気共鳴撮像装置は、被検体に静磁場を与える静磁場発生手段と、傾斜磁場を与える傾斜磁場発生手段と、前記被検体に電磁波を照射する高周波磁場パルス照射手段と、前記被検体から発生する磁気共鳴信号を受信する受信手段と、前記傾斜磁場発生手段と前記高周波磁場パルス照射手段と前記受信手段とを制御して撮像シーケンスを実行するシーケンサと、前記磁気共鳴信号に基づいて画像を再構成する信号処理手段と、前記画像を表示する表示手段とを備え、計測時に位相エンコードを変化させ、読み出し傾斜磁場パルスを正負反転して計測する磁気共鳴撮像装置において、前記シーケンサは第１及び第２の撮像シーケンスを有し、前記第１の撮像シーケンスは、第１の読み出し傾斜磁場パルスを正負反転させ、前記第２の撮像シーケンスは、前記第１の読み出し傾斜磁場パルスの極性を反転させた第２の読み出し傾斜磁場パルスを形成させ、
前記第１の撮像シーケンス及び第２の撮像シーケンスは、前記第１の読み出し傾斜磁場パルス及び前記第２の読み出し傾斜磁場パルスの正負反転に合わせて位相エンコードパルスを離散的に印加して前記位相エンコードを変化させ、かつ、同一位相エンコード量における前記第１の読み出し傾斜磁場パルスと前記第２の読み出し傾斜磁場パルスの極性を互いに逆にし、前記信号処理手段は、第１の撮像シーケンスにより得られる第１の計測データと、前記第２の撮像シーケンスにより得られる第２の計測データとを加算して画像再構成することを特徴とする。
【手続補正３】
【補正対象書類名】明細書
【補正対象項目名】０００９
【補正方法】変更
【補正の内容】
【０００９】
このような構成とすることにより、サンプリング中に線形もしくは非線形の位相誤差が各エコー信号（計測データ）に生じている場合でも、読み出し方向傾斜磁場の極性を逆にするエコー信号同士を加算するので、相互の位相誤差を打ち消して、Ｎ／２アーチファクトの発生を抑えることができるので、各エコー信号に生じる位相誤差を解消して、アーチファクトの発生を抑えることができる。
【手続補正書】
【提出日】平成16年10月12日(2004.10.12)
【手続補正１】
【補正対象書類名】明細書
【補正対象項目名】特許請求の範囲
【補正方法】変更
【補正の内容】
【特許請求の範囲】
【請求項１】
超音波を送受信できる探触子と、超音波送受信の指示を出す操作部とを備え、前記指示に基づいて被検者の体内に超音波を送信し、体内で反射された超音波を受信して、その受信信号によって被検者体内部の画像を表示させる超音波診断装置において、前記探触子の超音波振動子側を上向きにして設置させるプローブホルダーを前記操作部に備え、前記プローブホルダーの探触子設置面には、前記プローブホルダーから前記探触子に伝達する衝撃を防ぐ可撓部材が設置されることを特徴とする超音波診断装置。
【手続補正２】
【補正対象書類名】明細書
【補正対象項目名】００１２
【補正方法】変更
【補正の内容】
【００１２】
本発明は、超音波を送受信できる探触子と、超音波送受信の指示を出す操作部とを備え、前記指示に基づいて被検者の体内に超音波を送信し、体内で反射された超音波を受信して、その受信信号によって被検者体内部の画像を表示させる超音波診断装置において、前記探触子の超音波振動子側を上向きにして設置させるプローブホルダーを前記操作部に備え、前記プローブホルダーの探触子設置面には、前記プローブホルダーから前記探触子に伝達する衝撃を防ぐ可撓部材が設置される。
【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】
撮像部を備えた画像認識装置を有する超指向性音響装置であって、音情報を発生する少なくとも２個の音情報発生部を有し、
前記画像認識装置は、聴取者の位置を認識し、前記音情報発生部から放出される音波の方向を決定し、
前記画像認識装置から得られた音波の方向に基づいて、前記音情報発生部の指向方向を聴取者の位置に追従させる指向位置調整部と、
を有することを特徴とする超指向性音響装置。
【請求項２】
予め登録された聴取者を認識するための登録聴取者画像データを記憶した記憶部と、
聴取者の画像データを入力する少なくとも２個の撮像部と、
音情報を発生する少なくとも２個の音情報発生部と、
該撮像部からの該入力画像データと該登録聴取者画像データとを識別し、聴取者の確認を行う情報処理部と、
該情報処理部が登録された聴取者を確認した場合に、各々の撮像部からの各々の入力画像データと予め定められた基準位置との各々のずれに基づいて、該各々の音情報発生部の音情報の指向方向を該登録された聴取者の位置に追従させる指向位置調整部と、
を備えたことを特徴とする超指向性音響装置。
【請求項３】
前記各々の音情報発生部に前記登録された聴取者に適した音情報が予め登録された請求項１に記載の超指向性音響装置。
【請求項４】
少なくとも２個の撮像部からの聴取者の入力画像データと予め登録された聴取者を認識するための登録聴取者画像データとから聴取者の確認を行う第１のステップと、
該第１のステップが登録された聴取者を確認した場合に、各々の撮像部からの各々の入力画像データと予め定められた基準位置とのずれを検出する第２のステップと、
該第２のステップで検出された各々のずれに基づいて音情報の指向方向を該登録された聴取者の位置に追従させる第３のステップと、
少なくとも２個の各々の音情報発生部から該第３のステップが決定した各々の指向方向に音情報を発生する第４のステップと、
を備えた超指向性音響装置のコンピュータで読み取り可能なプログラム。
【手続補正書】
【提出日】平成17年7月6日(2005.7.6)
【手続補正１】
【補正対象書類名】明細書
【補正対象項目名】特許請求の範囲
【補正方法】変更
【補正の内容】
【特許請求の範囲】
【請求項１】
ディジタル画像形成装置における画質向上のための方法であって、ディジタル画像信号を発生するステップと、ディジタル画像信号のＳ／Ｎ比を推定するステップと、少なくとも部分的に、ディジタル画像信号の推定されたＳ／Ｎ比に基づいて色補正器を選択するステップが含まれている方法。
【請求項２】
前記推定されたＳ／Ｎ比はディジタル画像信号の平均Ｓ／Ｎ比の推定値からなる請求項１に記載の方法。
【請求項３】
前記平均ディジタル画像信号が、画像センシング装置から出力されることと、前記推定されたＳ／Ｎ比が、画像センシング装置のノイズに関する先験的モデルに基づいて、前記画像センシング装置の平均出力信号レベル、前記画像センシング装置の少なくとも１つの動作パラメータ、及び、前記画像センシング装置の少なくとも１つの特性に基づいて推定される請求項２に記載の方法。
【請求項４】
前記モデルに、少なくとも１つの電子ノイズ源が含まれる請求項３に記載の方法。
【請求項５】
前記少なくとも１つの電子ノイズ源に、前記画像センシング装置の利得段前後の電子ノイズ源が含まれる請求項４に記載の方法。
【請求項６】
前記モデルに、暗電流ノイズ源が含まれる請求項３に記載の方法。
【請求項７】
前記モデルに、光子のショット・ノイズが含まれる請求項３に記載の方法。
【請求項８】
前記少なくとも１つのセンサ動作パラメータに、前記画像センシング装置の増幅器の利得が含まれる請求項３に記載の方法。
【請求項９】
前記少なくとも１つの動作パラメータに、露光期間及び温度が含まれる請求項３に記載の方法。
【請求項１０】
ディジタル画像処理装置であって、ディジタル画像信号を発生するための画像センシング装置と、ディジタル画像信号を処理して、電子出力画像を送り出すためのディジタル画像信号プロセッサが含まれており、前記ディジタル画像信号プロセッサに、前記ディジタル画像信号のＳ／Ｎ比を推定するＳ／Ｎ比推定装置と、少なくとも部分的に、前記ディジタル画像信号の推定されたＳ／Ｎ比に基づいて、前記電子出力画像のカラーを補正するために、色補正器を選択する色補正器セレクタとが含まれる装置。
【請求項１１】
前記推定されたＳ／Ｎ比は、前記ディジタル画像信号の平均Ｓ／Ｎ比の推定値からなる請求項１０に記載の装置。
【請求項１２】
前記Ｓ／Ｎ比推定装置に、ディジタル画像信号の平均レベル、前記画像センシング装置の少なくとも１つの動作パラメータ、及び、前記画像センシング装置の少なくとも１つの特性を求めるための手段が含まれ、前記Ｓ／Ｎ比推定装置が、ディジタル画像信号の前記平均レベル、前記少なくとも１つの動作パラメータ、及び、前記少なくとも１つの特性に基づいて、ディジタル画像信号の前記平均Ｓ／Ｎ比の推定値を計算する請求項１１に記載の装置。
【請求項１３】
前記画像センシング装置にＣＭＯＳ画像センサが含まれる請求項１０に記載の装置。
【請求項１４】
前記画像センシング装置にＣＣＤ画像センサが含まれる請求項１０に記載の装置。
【請求項１５】
前記ディジタル画像形成装置に、ディジタル・カメラが含まれる請求項１０に記載の装置。
【請求項１６】
前記色補正器に、色補正マトリックスが含まれることと、前記色補正器セレクタに、色補正マトリックス・セレクタが含まれる請求項１０に記載の装置。
【請求項１７】
前記画像センシング装置に、それに集束した画像パターンを電圧サンプル・アレイに変換するための画像センサと、前記電圧サンプル・アレイを前記ディジタル画像信号に変換するためのアナログ・ディジタル変換器が含まれる請求項１０に記載の装置。
【請求項１８】
前記アナログ・ディジタル変換器が、前記画像センサに組み込まれている請求項１７に記載の装置。
【請求項１９】
前記色補正器に、色補正マトリックスが含まれる請求項１に記載の方法。
【手続補正書】
【提出日】平成17年6月17日(2005.6.17)
【手続補正１】
【補正対象書類名】明細書
【補正対象項目名】００７４
【補正方法】変更
【補正の内容】
【００７４】
ステップＳ２０６では、ｖ4，ｖ5に基づいて上式（４）によりフィルタ演算を行ってｖ4'を算出し、ステップＳ２０８に移行して、ｖ3とｖ4との差分の絶対値が定数値Ｃ1よりも大きいか否かを判定し、ｖ3とｖ4との差分の絶対値が定数値Ｃ1以下であると判定したとき(No)は、ステップＳ２１０に移行する。ここで、定数値Ｃ1は、画素の値の最大値を「２５５」として「１６」に設定する。その理由としては、定数値Ｃ1は、「１６」よりも大きく設定し過ぎると、フィルタ処理を行わなくてもよいのに行ってしまい、処理負荷が増加し、フィルタ処理の高速化を図ることができなくなり、逆に、「１６」よりも小さく設定し過ぎると、フィルタ処理を行うべきなのに行われず、効果的なフィルタ効果が期待できないからである。
【手続補正２】
【補正対象書類名】明細書
【補正対象項目名】００７５
【補正方法】変更
【補正の内容】
【００７５】
ステップＳ２１０では、ｖ3，ｖ5に基づいて上式（３）によりフィルタ演算を行ってｖ3'を算出し、ステップＳ２１２に移行して、ｖ2とｖ3との差分の絶対値が定数値Ｃ1よりも大きいか否かを判定し、ｖ2とｖ3との差分の絶対値が定数値Ｃ1以下であると判定したとき(No)は、ステップＳ２１４に移行して、ｖ2，ｖ5に基づいて上式（２）によりフィルタ演算を行ってｖ2'を算出し、ステップＳ２１６に移行する。
【手続補正３】
【補正対象書類名】明細書
【補正対象項目名】００８０
【補正方法】変更
【補正の内容】
【００８０】
ステップＳ３０４では、ｖ5とｖ4との差分の絶対値が定数値Ｃ2よりも大きいか否かを判定し、ｖ5とｖ4との差分の絶対値が定数値Ｃ2以下であると判定したとき(No)は、ステップＳ３０６に移行して、ｖ5，ｖ4に基づいて上式（５）によりフィルタ演算を行ってｖ5'を算出し、ステップＳ３０８に移行して、ｖ6とｖ5との差分の絶対値が定数値Ｃ1よりも大きいか否かを判定し、ｖ6とｖ5との差分の絶対値が定数値Ｃ1以下であると判定したとき(No)は、ステップＳ３１０に移行する。
【手続補正４】
【補正対象書類名】明細書
【補正対象項目名】００８１
【補正方法】変更
【補正の内容】
【００８１】
ステップＳ３１０では、ｖ6，ｖ4に基づいて上式（６）によりフィルタ演算を行ってｖ6'を算出し、ステップＳ３１２に移行して、ｖ7とｖ6との差分の絶対値が定数値Ｃ1よりも大きいか否かを判定し、ｖ7とｖ6との差分の絶対値が定数値Ｃ1以下であると判定したとき(No)は、ステップＳ３１４に移行して、ｖ7，ｖ4に基づいて上式（７）によりフィルタ演算を行ってｖ7'を算出し、ステップＳ３１６に移行する。
【手続補正５】
【補正対象書類名】図面
【補正対象項目名】図１２
【補正方法】変更
【補正の内容】
【図１２】
2003116134.tif 000001
【手続補正書】
【提出日】平成16年10月4日(2004.10.4)
【手続補正１】
【補正対象書類名】明細書
【補正対象項目名】００１１
【補正方法】変更
【補正の内容】
【００１１】
このような振動体において、圧電素子２に交流電界を印加すると、圧電素子２は周方向に伸縮するため、振動体全体としては曲げ変形を行う。又、印加する交流電界の周波数を振動体の固有振動数と一致させることで、図（ａ）に示す奇数次数である３次の面内曲げ振動または、図３（ｂ）に示す偶数次数である２次の面外曲げ振動の変位が拡大する。図から分かるように、振動体の表面粒子は面内曲げ振動の腹部ではリング面内の径方向へ変位し、面外曲げ振動はリング面外方向に変位する。
【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
データ処理手段と、該データ処理手段のデータ処理条件を変更する中央演算処理装置とを有する電子装置において、
前記中央演算処理装置から前記データ処理手段に供給される設定変更データを記憶装置に格納し、該記憶装置に格納された前記設定変更データを前記データ処理手段に供給することを特徴とするデータ変更方法。
【請求項２】
映像信号を処理する画像処理手段と、該画像処理手段の処理条件を変更する中央演算処理装置とを有するテレビジョンカメラ装置において、
前記中央演算処理装置から前記画像処理手段に供給される設定変更データを記憶装置に格納し、該記憶装置に格納された前記設定変更データを、前記映像信号の垂直ブランキング期間に、前記画像処理手段に供給することを特徴とするデータ変更方法。
【請求項３】
データ処理手段と、該データ処理手段のデータ処理条件を変更する中央演算処理装置とを有する電子装置において、
前記中央演算処理装置から前記データ処理手段に送信された設定変更データを格納する記憶装置と、
前記記憶装置の書き込みを制御する書き込みアドレス制御部と、
前記記憶装置の読み出しを制御する読み出しアドレス制御部と、
前記中央演算処理装置からの書き込み命令または読み出し命令を受信し、該受信された命令に応じて、前記書き込みアドレス制御部または前記読み出しアドレス制御部のいずれかに供給するデコーダとを備え、前記中央演算処理装置は、前記記憶装置へ任意のタイミングで、前記設定変更データを供給し、
前記記憶装置は、前記処理手段へ前記読み出しアドレス制御部からの制御に応じて前記設定変更データを読み出し、
前記データ処理手段は、前記記憶装置から読み出された前記設定変更データによってデータ処理条件を変更することを特徴とする電子装置。
【請求項４】
映像信号を処理する画像処理手段、該画像処理手段のデータ処理条件を変更する中央演算処理装置とを有するテレビジョンカメラ装置において、
前記中央演算処理装置から任意のタイミングで送信された設定変更データを格納する記憶装置と、
前記記憶装置の書き込みを制御する書き込みアドレス制御部と、
前記記憶装置の読み出しを制御する読み出しアドレス制御部と、
前記中央演算処理装置からの書き込み命令または読み出し命令を受信し、該受信された命令に応じて、前記書き込みアドレス制御部または前記読み出しアドレス制御部のいずれかに供給するデコーダとを備え、前記中央演算処理装置は、前記記憶装置へ任意のタイミングで、前記設定変更データを供給し、
前記記憶装置は、前記読み出しアドレス制御部からの制御に応じて前記設定変更データを前記映像信号の垂直ブランキング期間に前記画像処理手段に供給し、
前記画像処理手段は、前記記憶装置から供給された前記設定変更データによってデータ処理条件を変更することを特徴とするテレビジョンカメラ装置。
【手続補正書】
【提出日】平成17年8月18日(2005.8.18)
【手続補正１】
【補正対象書類名】明細書
【補正対象項目名】特許請求の範囲
【補正方法】変更
【補正の内容】
【特許請求の範囲】
【請求項１】
低精細度モードと高精細度モードの動作を有するテレビジョン・システムであって、
第１のソースからのビデオを低精細度モードで表示し、第２のソースからのビデオを高精細度モードで表示する手段と、
前記第１のソースが選択されたときに前記低精細度モードの動作に切り換える手段と、
前記第１のソースが選択解除されたときまたは非アクティブであるときに、自動的に前記高精細度モードの動作に切り換える手段と
を備えることを特徴とするテレビジョン・システム。
【請求項２】
前記第１のソースは、メモリに記憶された電子番組ガイド・デモンストレーションであることを特徴とする請求項１に記載のテレビジョン・システム。
【請求項３】
前記第２のソースは、外部ディジタル・ビデオ・ディスク（ＤＶＤ）プレーヤ、ゲーミング・システム、または衛星ボックスであることを特徴とする請求項１に記載のテレビジョン・システム。
【請求項４】
前記低精細度モードの動作に切り換える手段は、番組ガイド・デモンストレーションを選択する手段を備えることを特徴とする請求項１に記載のテレビジョン・システム。
【請求項５】
前記低精細度モードの動作に切り換える手段は、番組ガイド・デモンストレーション・スイッチを有するリモート・コントローラ、フロント・パネル上のキーまたはキーの組み合わせ、あるいは前のデモンストレーションが終了してから所定の時間が経過した後で前記番組ガイド・デモンストレーションを自動的に開始するソフトウェア・プログラムを備えることを特徴とする請求項１に記載のテレビジョン・システム。
【請求項６】
前記自動的に前記高精細度モードの動作に切り換える手段は、前記第１のソースが終了し、または所定のタイムアウト時間を超過した場合に前記高精細度モードの動作に切り換えるようにプログラムされたコントローラであることを特徴とする請求項１に記載のテレビジョン・システム。
【請求項７】
前記第１のソースから供給された前記低精細度ビデオを高精細度ビデオにコンバートする手段を備えることを特徴とする請求項１に記載のテレビジョン・システム。
【請求項８】
低精細度番組ガイドを高精細度テレビジョン・モニタ上に表示する方法であって、
番組ガイドを表示するユーザ選択を受け取るステップと、
前記高精細度テレビジョン・モニタを低精細度モードの動作に切り換えるステップと、および、
前記番組ガイド選択の終了時に、前記高精細度テレビジョン・モニタを自動的に高精細度モードの動作に切り換えるステップと、
を備えることを特徴とする方法。
【請求項９】
前記番組ガイドは、ディジタル方式で符号化され記憶されている、ユーザによって選択可能なデモンストレーションであることを特徴とする請求項８に記載の方法。
【請求項１０】
前記テレビジョン・モニタが、前記高精細モードの動作に切り換わったときに、ディジタル・ビデオ・ディスク（ＤＶＤ）プレーヤ、衛星ボックス、またはゲーミング・システムからのビデオが処理され表示されることを特徴とする請求項８に記載の方法。
【請求項１１】
前記番組ガイドがユーザによって選択されていないとき、または所定時間が経過したか所定の非アクティブ時間が生じたときに前記高精細モードの動作に切り換えるステップを備えることを特徴とする請求項８に記載の方法。
【請求項１２】
前記高精細度テレビジョン・モニタは、高精細信号を受けるための、高精細度テレビジョン・チューナを備えることを特徴とする請求項８に記載の方法。
【請求項１３】
前記番組ガイドは、ディジタル方式で符号化され記憶されている、ユーザによって選択可能なデモンストレーションであって、垂直ブランキング期間（ＶＢＩ）を介して得られる生データを含まないデモンストレーションであることを特徴とする請求項８に記載の方法。
【請求項１４】
低精細度ビデオ信号を受けるステップをさらに備えることを特徴とする請求項８に記載の方法。
【請求項１５】
さらに、
前記番組ガイドを前記低精細度ビデオ信号上にオーバーレイするステップと、
前記オーバレイされた信号をディスプレイ用の高精細度信号にコンバートするステップと
を備えることを特徴とする請求項１４に記載の方法。
【手続補正書】
【提出日】平成17年8月25日(2005.8.25)
【手続補正１】
【補正対象書類名】明細書
【補正対象項目名】特許請求の範囲
【補正方法】変更
【補正の内容】
【特許請求の範囲】
【請求項１】  第１の映像表示信号の第１の選択可能な発生源と、
映像表示用の第２の信号の第２の選択可能な発生源と、
前記第１および第２の選択可能な発生源から信号を受け取り、前記第２の信号を前記第１の映像表示信号と合成するビデオ・プロセッサと、
前記合成信号を受け取るように結合され、前記合成信号から分離された同期信号を生成する同期分離器と、
前記第１の選択可能な発生源のユーザ選択に応答して、前記ビデオ・プロセッサを制御し、前記第２の信号の合成を所定の時間抑止するディスエーブル信号を生成するコントローラと、を含む、テレビジョン・モニタ表示装置。
【請求項２】  映像表示信号の選択可能な発生源と、
前記映像表示信号のうちの選択された１つの信号を受け取るように結合され、前記１つの信号から同期信号を分離する同期分離器と、
前記選択可能な発生源に結合され、前記映像表示信号のうちの他の１つの信号のユーザ選択に応答し、前記映像表示信号のうちの前記他の１つの信号を抑止するための制御信号を所定の時間生成して、前記同期分離器をフリーランさせるコントローラと、を含む、テレビジョン・モニタ表示装置。
【請求項３】  プログラム・ガイドのオンスクリーン表示の間、入力信号発生源の間での選択を行うときの視覚アーティファクトを最小限にし、同期化を容易にするテレビジョン・モニタ表示方法であって、
前記入力信号発生源のうちの新たに選択された１つの発生源からの信号をミュートするステップと、
前記入力信号発生源のうちの新たに選択された１つの発生源からの同期信号の存在を通知するステップと、
同期信号の存在時に、ブランキングされた表示画面をアサートするステップと、
前記入力信号発生源のうちの新たに選択された１つの発生源からの前記信号のミュートを解除するステップと、
発振器ロックを決定し、前記表示画面のブランキングを解除するステップと、を含む、テレビジョン・モニタ表示方法。
【手続補正２】
【補正対象書類名】明細書
【補正対象項目名】０００７
【補正方法】変更
【補正の内容】
【０００７】
本発明の第２の構成は、デジタル同期分離器が約１フィールド（１６ミリ秒）でのロックを実現することができる機能を利用する点で有利である。さらに、ＦＳＷ（Ｆａｓｔ  Ｓｗｉｔｃｈ  Ｏｖｅｒｌａｙ  ｃｏｎｔｒｏｌ：高速スイッチ・オーバレイ・コントロール）線を有利にディスエーブル（ｄｉｓａｂｌｅ：非作動化）することによって、ＯＳＤ（フリーラン同期）と入来する同期波形との位相合わせまたは同期を無くす。さらに、ミュートされた入力から所望の入力に切り換える時に２Ｈ  ＯＳＤブランキングを使用して画面全体を一時的にブランキングすることにより、ビデオ・デコーダの停止によって生じる表示過渡事象や乱れを隠し、同期分離器をロックする時間を大幅に短縮する。
特許請求の範囲と実施例との対応関係を実施例で使われている参照符号を用いて示すと以下の通りである。
（請求項１）  第１の映像表示信号（ＩＮＴ＿１Ｈ＿ＹＵＶ）の第１の選択可能な発生源（Ｕ１０）と、
映像表示用の第２の信号（ＯＳＤ）の第２の選択可能な発生源（Ｕ１３）と、
前記第１および第２の選択可能な発生源から信号を受け取り、前記第２の信号を前記第１の映像表示信号と合成するビデオ・プロセッサ（Ｕ２）と、
前記合成信号を受け取るように結合され、前記合成信号から分離された同期信号（ＨＳＹＮＣ，ＶＳＹＮＣ）を生成する同期分離器（Ｕ３）と、
前記第１の選択可能な発生源（Ｕ１０）のユーザ選択に応答して、前記ビデオ・プロセッサ（Ｕ２）を制御し、前記第２の信号（ＯＳＤ）の合成を所定の時間抑止するディスエーブル信号（ＦＳＷ  ＤＩＳ．）を生成するコントローラ（Ｕ８）と、を含む、テレビジョン・モニタ表示装置。
（請求項２）  映像表示信号の選択可能な発生源（Ｕ１０）と、
前記映像表示信号（ＩＮＴ＿１Ｈ＿ＹＵＶ）のうちの選択された１つの信号を受け取るように合成され、前記１つの信号から同期信号を分離する同期分離器（Ｕ３）と、
前記選択可能な発生源（Ｕ１０）に合成され、前記映像表示信号のうちの他の１つの信号のユーザ選択に応答し、前記映像表示信号のうちの前記他の１つの信号を抑止するための制御信号を所定の時間生成して、前記同期分離器をフリーランさせるコントローラ（Ｕ８）と、を含む、テレビジョン・モニタ表示装置。
（請求項３）  プログラム・ガイドのオンスクリーン表示の間、入力信号発生源の間での選択を行うときの視覚アーティファクトを最小限にし、同期化を容易にするテレビジョン・モニタ表示方法であって、
前記入力信号発生源のうちの新たに選択された１つの発生源からの信号をミュートするステップ（７３）と、
前記入力信号発生源のうちの新たに選択された１つの発生源からの同期信号の存在を通知するステップ（７９）と、
同期信号の存在時に、ブランキングされた表示画面をアサートするステップ（８２）と、
前記入力信号発生源のうちの新たに選択された１つの発生源からの前記信号のミュートを解除するステップ（８４）と、
発振器ロックを決定し、前記表示画面（８９）のブランキングを解除するステップ（８５）と、を含む、テレビジョン・モニタ表示方法。
【手続補正書】
【提出日】平成17年5月30日(2005.5.30)
【手続補正１】
【補正対象書類名】明細書
【補正対象項目名】特許請求の範囲
【補正方法】変更
【補正の内容】
【特許請求の範囲】
【請求項１】
限られた電流容量を有するコネクタを介して電力を供給する電源装置であって、
所定の電圧／電流値を要求する負荷と、
前記負荷の要求よりも高い電圧を有し、且つ前記負荷の要求よりも低い電流を発生する電源と、
前記電源の高電圧と低電流を、より低い電圧とより高い電流に変換する変換器と、から成り、
前記電源の出力は、前記コネクタを介して前記変換器の入力に結合され、
前記変換器の出力は前記負荷に結合される、前記電源装置。
【請求項２】
限られた電流容量を有するコネクタを介して電力を供給する電源装置であって、
所定の電圧／電流値を要求する断続的負荷と、
前記要求される所定の電圧値にほぼ等しい電圧を有し、且つ前記要求される所定の電流値よりも少ない電流を発生する電源と、
コンデンサと、から成り、
前記電源は前記コネクタを介して前記コンデンサに結合され、
前記断続的負荷は前記コンデンサに結合される、前記電源装置。
【手続補正２】
【補正対象書類名】明細書
【補正対象項目名】０００６
【補正方法】変更
【補正の内容】
【０００６】
本発明の別の実施例において、限られたアンペア容量を有するコネクタに電力を通過させる電源装置は、所定の電圧／電流値を要求する断続的負荷を含んでいる。電源は、要求される所定の電圧値にほぼ等しい電圧を有し、要求される電流値よりも少ない電流を発生する。電源はコネクタを通してコンデンサに結合され、コンデンサに断続的負荷が結合される。
特許請求の範囲と実施例との対応関係を実施例で使われている参照番号を用いて示すと以下の通りである。
（請求項１）  限られた電流容量を有するコネクタ（１４）を介して電力を供給する電源装置であって、
所定の電圧／電流値を要求する負荷（１０）と、
前記負荷の要求よりも高い電圧を有し、且つ前記負荷の要求よりも低い電流を発生する電源（１８）と、
前記電源の高電圧と低電流を、より低い電圧とより高い電流に変換する変換器（１６）と、から成り、
前記電源（１８）の出力は、前記コネクタ（１４）を介して前記変換器（１６）の入力に結合され、
前記変換器（１６）の出力は前記負荷（１０）に結合される、前記電源装置。
（請求項２）  限られた電流容量を有するコネクタ（１４０）を介して電力を供給する電源装置であって、
所定の電圧／電流値を要求する断続的負荷（１００）と、
前記要求される所定の電圧値にほぼ等しい電圧を有し、且つ前記要求される所定の電流値よりも少ない電流を発生する電源（１８０）と、
コンデンサ（１６０）と、から成り、
前記電源（１８０）は前記コネクタ（１４０）を介して前記コンデンサ（１６０）に結合され、
前記断続的負荷（１００）は前記コンデンサに結合される、前記電源装置。
【手続補正書】
【提出日】平成16年10月5日(2004.10.5)
【手続補正１】
【補正対象書類名】明細書
【補正対象項目名】０００５
【補正方法】変更
【補正の内容】
【０００５】
さらに、Y.Yamamoto,CHI2001「Time-ART」では、ビデオや音声データを視聴中に自由にクリッピングできるユーザ・インターフェイスを備え、テキストによる注釈機能を持ったツールが提案されている。以下、この技術を第４の従来技術と呼ぶことにする。
一方、特開平１０−２１０２９号公報「テロップ表示装置」では、テロップを簡単に利用者が作成でき、音声情報や画像情報を付加情報として簡単に追加できる表示装置が存在する。以下、この技術を第５の従来技術と呼ぶことにする。
【手続補正書】
【提出日】平成16年2月27日(2004.2.27)
【手続補正１】
【補正対象書類名】明細書
【補正対象項目名】００４６
【補正方法】変更
【補正の内容】
【００４６】
伸長されたＹＣ信号は、ＬＣＤコントローラ８６を介して表示用の信号に変換され、液晶モニタ６４に出力される。これにより、液晶モニタ６４にはメモリカード７２に記録されている最終コマのコマ画像が表示される。


【手続補正２】
【補正対象書類名】明細書
【補正対象項目名】００５７
【補正方法】変更
【補正の内容】
【００５７】
まず、ＣＰＵ７０は、カメラ１０の動作モードが、カメラ１０の動作モードがボイスレコーダモード又はオーディオモードに設定されているか否かを判別する（ステップＳ１０）。ボイスレコーダモード又はオーディオモード以外の動作モード（即ち、スチル撮影を行う撮影モード、撮影した画像を再生する再生モード、音声付き動画撮影を行うムービーモード、ＵＳＢ通信を行うモード）が設定されている場合には、ステップＳ１２に進み、ボイスレコーダモード又はオーディオモードが設定されている場合には、ステップＳ１４に進む。
【手続補正書】
【提出日】平成17年9月6日(2005.9.6)
【手続補正１】
【補正対象書類名】明細書
【補正対象項目名】特許請求の範囲
【補正方法】変更
【補正の内容】
【特許請求の範囲】
【請求項１】一体型の撮像及び記憶装置であって、複数の第１のメモリ素子を備えた第１のメモリ層と、第１のメモリ層の下に配置され、複数の第２のメモリ素子を備えた第２のメモリ層と、前記第１と第２のメモリ層の上に配置され、複数の撮像素子を備えた撮像層とを含み、各撮像素子が、各撮像素子によって生成されるデータを対応する第１のメモリ素子に記憶することができるように、対応する第１のメモリ素子と電気的に通じていることと、各第１のメモリ素子が、各第１のメモリ素子に記憶されているデータを対応する第２のメモリ素子に転送できるように、対応する第２のメモリ素子と電気的に通じている撮像及び記憶装置。
【請求項２】各第１のメモリ素子及び第２のメモリ素子に、複数の記憶場所が含まれる、請求項１に記載の撮像及び記憶装置。
【請求項３】前記第１のメモリ素子及び第２のメモリ素子に、単一撮像素子の単一露光によって生成される完全なデータ・セットを記憶するのに十分な数の記憶場所が含まれる、請求項２に記載の撮像及び記憶装置。
【請求項４】各撮像素子が、対応する第１のメモリ素子に対して、撮像プロセス中に生成されたデータを直列に転送するように構成されている、請求項１に記載の撮像及び記憶装置。
【請求項５】前記複数の撮像素子が、前記対応する第１のメモリ素子に対してデータを並列に転送するように構成されている、請求項１に記載の撮像及び記憶装置。
【請求項６】前記撮像素子のそれぞれから前記対応する第１のメモリ素子へのデータ転送に付随して、前記メモリ素子に納められたデータが対応する第２のメモリ素子に転送される、請求項５に記載の撮像及び記憶装置。
【請求項７】前記撮像層が、前記撮像プロセスによって得られたデータを前記第１のメモリ層に転送する際、前記第１のメモリ層が、第１のメモリ層の全てのデータを前記第２のメモリ層に並列に転送するように構成されている、請求項６に記載の撮像及び記憶装置。
【請求項８】前記撮像及び記憶装置がＣＭＯＳディバイスである、請求項１に記載の撮像及び記憶装置。
【請求項９】ソリッドステートカメラ用の一体型の撮像及び記憶装置であって、複数の個別メモリ層を含んでおり、各メモリ層毎に、複数の個別メモリ素子が含まれていて、各層の各メモリ素子が、隣接層の対応するメモリ素子と電気的に通じている、並列メモリ構造と、前記並列メモリ構造の上部層に隣接して配置され、複数の撮像素子を含んでおり、各撮像素子が、前記並列メモリ構造の前記上部層における対応するメモリ素子と電気的に通じている撮像構造を含む一体型の撮像及び記憶装置。
【請求項１０】一体型の撮像及び記憶装置を含むソリッドステートカメラであって、前記撮像及び記憶装置に、複数の第１のメモリ素子を備えた第１のメモリ層と、複数の第２のメモリ素子を備えた第２のメモリ層と、複数の撮像素子を備え、各撮像素子毎に、画像データを生成するための感光部分、及び、画像データを処理するための能動電子コンポーネントを含む撮像層が含まれていて、データが、各撮像素子から前記複数の第１のメモリ素子のうち単一の対応する第１のメモリ素子に流れることと、データが、各第１のメモリ素子から前記複数の第２のメモリ素子のうち単一の対応する第２のメモリ素子に流れる、ソリッドステートカメラ。
【手続補正書】
【提出日】平成16年8月9日(2004.8.9)
【手続補正１】
【補正対象書類名】明細書
【補正対象項目名】特許請求の範囲
【補正方法】変更
【補正の内容】
【特許請求の範囲】
【請求項１】
特殊効果用のマスクパターンと、任意の再生画像を変形するための動きパターンとを符号化し、
上記符号化されたマスクパターンと上記動きパターンとを１本のデータに多重化することを特徴とする特殊効果データ符号化方法。
【請求項２】
上記多重化されたデータには、上記動きパターンに基づいて変形させる画像を識別する変形画像情報が符号化され含まれることを特徴とする請求項１記載の特殊効果データ符号化方法。
【請求項３】
前記動きパターンは、それぞれ上記再生画像の局所画面に適用される複数の動きパラメータにて構成されていることを特徴とする請求項１または２に記載の特殊効果データ符号化方法。
【請求項４】
前記動きパターンが、前記変形後の画像サイズならびに表示位置を示す情報を含むことを特徴とする請求項１乃至３の何れかに記載の特殊効果データ符号化方法。
【請求項５】
前記マスクパターンがバイナリデータと透明度のレベルにて構成されていることを特徴とする請求項１乃至４の何れかに記載の特殊効果データ符号化方法。
【請求項６】
前記マスクパターンがグレイスケールデータであることを特徴とする請求項１乃至５の何れかに記載の特殊効果データ符号化方法。
【請求項７】
マスクパターンと動きパターンの多重化された符号化データを復号する復号処理と、前記復号したマスクデータと動きパラメータに基づいて、特殊効果処理対象の入力画像または復号画像に対し演算を行う演算処理を有することを特徴とする特殊効果表示方法。
【請求項８】
前記符号化データはさらに変形する画像を識別する変形画像情報を含み、前記演算処理はさらに前記変形画像情報に基づいて演算を行うことを特徴とする請求項７記載の特殊効果表示方法。
【請求項９】
前記特殊効果処理対象の入力画像または復号画像に対し演算を行う演算処理に、前記マスクデータ、前記入力画像又は前記復号画像、上記複数の入力画像又は復号画像の合成画像のいずれかを前記動きパラメータに基づいて変形する処理を含むことを特徴とする請求項７または８に記載の特殊効果表示方法。
【手続補正２】
【補正対象書類名】明細書
【補正対象項目名】発明の名称
【補正方法】変更
【補正の内容】
【発明の名称】特殊効果データ符号化方法及び特殊効果表示方法
【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】
画像データを所定のブロック単位で周波数成分データに変換する周波数成分変換手段と、
ブロック単位で周波数変換された画像データを符号化して、複数の階層のそれぞれに対応するビットプレーンを作成するビットプレーン作成手段と、
作成されたビットプレーンから所定階層数のビットプレーンを抽出する抽出手段と、
抽出されたビットプレーンの累積符号量を算出する累積符号量算出手段と、
算出された累積符号量と所定の目標符号量とに基づいて、抽出されるビットプレーンの階層数を変更する階層数変更手段と
を備えることを特徴とする符号量制御装置。
【請求項２】
抽出されたビットプレーンの最小階層数を記憶する最小階層数記憶手段と、
すべてのブロックから前記最小階層数のビットプレーンを抽出する階層数調整手段と、
同一階層数で抽出されたビットプレーンを用いて構成された画像データを出力する出力手段と
をさらに備えることを特徴とする請求項１記載の符号量制御装置。
【請求項３】
前記画像データの符号量制御の許諾に関する属性情報をブロック単位で付与する属性情報付与手段と、
前記属性情報を符号化する属性情報符号化手段と、
前記属性情報に基づいて、各ブロックにおける符号量の制御の許諾の有無を判別する属性判別手段とをさらに備え、
前記抽出手段が、符号量の制御を許可されたブロックについてだけ、所定の階層数のビットプレーンを抽出する
ことを特徴とする請求項１または２記載の符号量制御装置。
【請求項４】
画像データを所定のブロック単位で周波数成分データに変換第１の工程と、
ブロック単位で周波数変換された画像データを符号化して、複数の階層のそれぞれに対応するビットプレーンを作成する第２の工程と、
作成されたビットプレーンから所定階層数のビットプレーンを抽出する第３の工程と、
抽出されたビットプレーンの累積符号量を算出する第４の工程と、
算出された累積符号量と所定の目標符号量とに基づいて、抽出されるビットプレーンの階層数を変更する第５の工程と、
変更後の階層数でビットプレーンを抽出する第６の工程と
を備えることを特徴とする符号量制御方法。
【請求項５】
画像データを所定のブロック単位で周波数成分データに変換する第１のステップと、
ブロック単位で周波数変換された画像データを符号化して、複数の階層のそれぞれに対応するビットプレーンを作成する第２のステップと、
作成されたビットプレーンから所定階層数のビットプレーンを抽出する第３のステップと、
抽出されたビットプレーンの累積符号量を算出する第４のステップと、
算出された累積符号量と所定の目標符号量とに基づいて、抽出されるビットプレーンの階層数を変更する第５のステップと、
変更後の階層数でビットプレーンを抽出する第６のステップと
をコンピュータに実行させるためのプログラム。
【請求項６】
コンピュータに、
画像データを所定のブロック単位で周波数成分データに変換する第１の手順と、
ブロック単位で周波数変換された画像データを符号化して、複数の階層のそれぞれに対応するビットプレーンを作成する第２の手順と、
作成されたビットプレーンから所定階層数のビットプレーンを抽出する第３の手順と、
抽出されたビットプレーンの累積符号量を算出する第４の手順と、
算出された累積符号量と所定の目標符号量とに基づいて、抽出されるビットプレーンの階層数を変更する第５の手順と、
変更後の階層数でビットプレーンを抽出する第６の手順と
を実行させるためのプログラムを記録したコンピュータ読み取り可能な記録媒体。
【手続補正２】
【補正対象書類名】明細書
【補正対象項目名】０００８
【補正方法】変更
【補正の内容】
【０００８】
【課題を解決するための手段】
上記の課題を解決するために、請求項１記載の発明は、画像データを所定のブロック単位で周波数成分データに変換する周波数成分変換手段と、ブロック単位で周波数変換された画像データを符号化して、複数の階層のそれぞれに対応するビットプレーンを作成するビットプレーン作成手段と、作成されたビットプレーンから所定階層数のビットプレーンを抽出する抽出手段と、抽出されたビットプレーンの累積符号量を算出する累積符号量算出手段と、算出された累積符号量と所定の目標符号量とに基づいて、抽出されるビットプレーンの階層数を変更する階層数変更手段とを備えることを特徴とする。
【手続補正書】
【提出日】平成16年2月25日(2004.2.25)
【手続補正１】
【補正対象書類名】明細書
【補正対象項目名】発明の名称
【補正方法】変更
【補正の内容】
【発明の名称】文書処理装置及び方法
【手続補正２】
【補正対象書類名】明細書
【補正対象項目名】特許請求の範囲
【補正方法】変更
【補正の内容】
【特許請求の範囲】
【請求項１】
指定された複数の電子文書から各ページのページ画像を抽出する抽出手段と、
複数の電子文書から抽出した各ページ画像のサムネール画像を作成するサムネール作成手段と、
サムネール作成手段で作成された前記サムネール画像群を表示した、前記各電子文書へのアクセスのためのチケットを作成すると共に、それらチケット上の各サムネール画像がそれぞれどの電子文書に対応するかを示す対応情報を生成するチケット作成手段と、
を含む文書処理装置。
【請求項２】
更に、前記チケットを読み込む手段と、
読み込んだチケットから、サムネール画像のいずれか１つ以上に対するユーザ選択結果を認識する手段と、
この認識結果と当該チケットについての前記対応情報とに基づき、ユーザが選択したサムネール文書に対応する電子文書を特定する手段と、
を含む請求項１記載の文書処理装置。
【請求項３】
前記対応情報は、前記各サムネール画像に対応する電子文書の識別情報を含むことを特徴とする請求項１記載の文書処理装置。
【請求項４】
前記対応情報は、前記各サムネール画像が、それぞれ対応する電子文書の何ページ目かを示す情報を含むことを特徴とする請求項１記載の文書処理装置。
【請求項５】
前記チケット作成手段は、生成するチケットに前記対応情報を埋め込むことを特徴とする請求項１〜４のいずれかに記載の文書処理装置。
【請求項６】
前記読み込んだチケットから前記対応情報を認識する手段を更に備え、前記電子文書を特定する手段は、そのチケットから認識した前記ユーザ選択結果と前記対応情報に基づき、ユーザが選択したサムネール文書に対応する電子文書を特定することを特徴とする請求項５記載の文書処理装置。
【請求項７】
前記チケット作成手段は、前記サムネール画像群を、それぞれがいずれの電子文書に対応するかを区別可能な表示形態で表示したチケットを生成することを特徴とする請求項１記載の文書処理装置。
【請求項８】
前記チケット作成手段は、チケットに含める前記サムネール画像に対応する電子文書へのアクセス権限情報を、そのチケットに埋め込む手段を備えることを特徴とする請求項１記載の文書処理装置。
【請求項９】
チケットへの作成予定文書の追加指示を受け付ける手段を備え、
前記チケット生成手段は、作成予定文書の追加が指示された場合は、その作成予定文書を表すマークを前記チケットに組み込むとともに、そのマークと作成予定文書との対応情報を生成することを特徴とする請求項１記載の文書処理装置。
【請求項１０】
抽出手段が、指定された複数の電子文書から各ページのページ画像を抽出する第１ステップと、
サムネール作成手段が、前記第１ステップで複数の電子文書から抽出された各ページ画像のサムネール画像を作成する第２ステップと、
チケット作成手段が、前記第２ステップで作成された前記サムネール画像群を表示した、前記各電子文書へのアクセスのためのチケットを作成すると共に、それらチケット上の各サムネール画像がそれぞれどの電子文書に対応するかを示す対応情報を生成する第３ステップと、
を含む文書処理方法。
【手続補正書】
【提出日】平成17年3月11日(2005.3.11)
【手続補正１】
【補正対象書類名】明細書
【補正対象項目名】特許請求の範囲
【補正方法】変更
【補正の内容】
【特許請求の範囲】
【請求項１】
情報の書き込みと読み出しを行うヘッドと、
幅方向の両側を弾性変形可能にした穴が形成され、前記ヘッドを支持するヘッド支持部材と、
この穴の縁に形成された突起と、
この突起上に載置され、前記ヘッド支持部材を前記ヘッドの位置決め方向に変形させる圧電素子とを備えたヘッド支持機構。
【請求項２】
情報の書き込みと読み出しを行うヘッドと、このヘッドを支持するヘッド支持部材と、このヘッド支持部材に支持され、このヘッド支持部材を前記ヘッドの位置決め方向に変形させる圧電素子とを備えたヘッド支持機構において、幅方向の両側を弾性変形可能にした穴と、この穴のヘッド支持機構長手方向両側に突起が形成されたヘッド支持部材と、前記穴に架橋するように前記突起を介してヘッド支持部材に固定された圧電素子とを設けたヘッド支持機構。
【請求項３】
前記突起が、前記ヘッド支持部材とは別体に形成され、前記ヘッド支持部材に接合されたスペーサである請求項１または２に記載のヘッド支持機構。
【請求項４】
前記穴の幅方向の両側を、梁，平行板ばね，或いは蛇腹状のばね構造とした請求項１乃至３のいずれか１項に記載のヘッド支持機構。
【請求項５】
前記穴の中央部にヒンジが形成されている請求項１乃至４のいずれか１項に記載のヘッド支持機構。
【請求項６】
請求項１乃至５の何れか１項に記載のヘッド支持機構を用いた磁気ディスク装置。
【手続補正２】
【補正対象書類名】明細書
【補正対象項目名】０００８
【補正方法】変更
【補正の内容】
【０００８】
【課題を解決するための手段】
上記の目的を達成するため、本願発明は、情報の書き込みと読み出しを行うヘッドと、幅方向の両側を弾性変形可能にした穴が形成され、前記ヘッドを支持するヘッド支持部材と、この穴の縁に形成された突起と、この突起上に載置され、前記ヘッド支持部材を前記ヘッドの位置決め方向に変形させる圧電素子とを備えたヘッド支持機構とした。
【手続補正３】
【補正対象書類名】明細書
【補正対象項目名】０００９
【補正方法】変更
【補正の内容】
【０００９】
或いは、情報の書き込みと読み出しを行うヘッドと、このヘッドを支持するヘッド支持部材と、このヘッド支持部材に支持され、このヘッド支持部材を前記ヘッドの位置決め方向に変形させる圧電素子とを備えたヘッド支持機構において、幅方向の両側を弾性変形可能にした穴と、この穴のヘッド支持機構長手方向両側に突起が形成されたヘッド支持部材と、前記穴に架橋するように前記突起を介してヘッド支持部材に固定された圧電素子とを設けたヘッド支持機構とした。
【手続補正４】
【補正対象書類名】明細書
【補正対象項目名】００１０
【補正方法】変更
【補正の内容】
【００１０】
そして好ましくは、突起を、ヘッド支持部材とは別体に形成され、ヘッド支持部材に接合されたスペーサとした。
【手続補正５】
【補正対象書類名】明細書
【補正対象項目名】００１１
【補正方法】変更
【補正の内容】
【００１１】
そして好ましくは、穴の幅方向の両側を、梁，平行板ばね，或いは蛇腹状のばね構造とした。
【手続補正６】
【補正対象書類名】明細書
【補正対象項目名】００１２
【補正方法】変更
【補正の内容】
【００１２】
そして好ましくは、穴の中央部にヒンジを形成した。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正書】
【提出日】平成16年7月9日(2004.7.9)
【手続補正１】
【補正対象書類名】明細書
【補正対象項目名】特許請求の範囲
【補正方法】変更
【補正の内容】
【特許請求の範囲】
【請求項１】
録画中のビデオをデータに変換する録画部と、この録画部によって変換されたデータを記録する記憶部と、この記憶部から前記データを読み出して再生を行う再生部とを有し、
前記録画部によるデータの記録中にその録画データを再生するタイムシフト再生の開始後に、前記再生部による再生が終了したか否かを監視し、再生が終了していると判断した場合に、前記録画部の状態を確認し、録画が終了している場合にはそのまま前記タイムシフト再生を終了し、録画が継続中の場合には前記タイムシフト再生を再開することを特徴とするタイムシフト再生方法。
【請求項２】
録画中のビデオをデータに変換する録画手段と、
この録画手段によって変換された前記データを記録する記憶手段と、
この記憶手段から前記データを読み出して再生を行う再生手段と、
前記録画手段によるデータの記録中にその録画データを再生するタイムシフト再生が開始された場合に、前記再生手段による再生が終了したか否かを監視し、再生が終了していると判断した場合に、前記録画手段による録画状態の情報を確認し、録画が終了している場合にはそのまま前記タイムシフト再生を終了し、録画が継続中の場合には前記タイムシフト再生を再開させるタイムシフト再生制御手段と、
を具備することを特徴とするタイムシフト再生装置。
【請求項３】
請求項２記載のタイムシフト再生装置において、前記タイムシフト再生制御手段は、前記録画手段による録画状態の情報を確認し、録画が継続中の場合には、所定時間経過後にタイムシフト再生を再開させることを特徴とするタイムシフト再生装置。
【請求項４】
請求項２記載のタイムシフト再生装置において、前記タイムシフト再生制御手段は、前記録画手段による録画状態の情報を確認し、録画が継続中の場合には、所定時間経過後に、再生の終了した時間位置からタイムシフト再生を再開させることを特徴とするタイムシフト再生装置。
【手続補正２】
【補正対象書類名】明細書
【補正対象項目名】００１０
【補正方法】変更
【補正の内容】
【００１０】
【課題を解決するための手段】
この発明は、録画中のビデオをデータに変換する録画部と、この録画部によって変換されたデータを記録する記憶部と、この記憶部から前記データを読み出して再生を行う再生部とを有し、前記録画部によるデータの記録中にその録画データを再生するタイムシフト再生の開始後に、前記再生部による再生が終了したか否かを監視し、再生が終了していると判断した場合に、前記録画部の状態を確認し、録画が終了している場合にはそのまま前記タイムシフト再生を終了し、録画が継続中の場合には前記タイムシフト再生を再開することを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】